(57)【特許請求の範囲】
【請求項１】
電子機器と２端子で接続されうる電源供給アダプタにおいて、
小電力を出力する小電力モードと、大電力を出力する大電力モードとを切り替え可能な電源部と、
上記電源部から出力される電流を検出する電流検出手段と、
上記電子機器から発信される信号を受信する信号受信手段と、
上記電流検出手段で検出された上記電流が基準以下の場合、上記電源部を小電力モードで動作させると共に、上記信号受信手段を動作させるようにした制御手段と
からなることを特徴とする電源供給アダプタ。
【請求項２】
請求項１において、
上記制御手段は、
上記信号受信手段で受信された上記信号に基づいて、上記電源部の小電力モードおよび／または上記大電力モードを制御するようにしたことを特徴とする電源供給アダプタ。
【請求項３】
請求項１において、
さらに、信号を上記電子機器へ発信する信号発信手段を有し、
上記信号受信手段は、上記信号発信手段から発信された信号を受信し、上記受信した信号が上記信号発信手段から発信された信号か否かを判断するようにしたことを特徴とする電源供給アダプタ。
【請求項４】
電子機器と２端子で接続されうる電源供給アダプタにおいて、
小電力を出力する小電力モードと、大電力を出力する大電力モードとを切り替え可能な電源部と、
上記電源部から出力される電流を検出する電流検出手段と、
信号を上記電子機器へ発信する信号発信手段と、
上記電流検出手段で検出された上記電流が基準以下の場合、上記電源部を小電力モードで動作させると共に、上記信号発信手段を動作させるようにした制御手段と
からなることを特徴とする電源供給アダプタ。
【請求項５】
請求項１または請求項４において、
さらに、上記電源部の小電力モードおよび／または上記大電力モードの動作を停止させるストップ手段を設けたことを特徴とする電源供給アダプタ。
【請求項６】
請求項３または請求項４において、
さらに、高インピーダンス電源手段を備え、
上記高インピーダンス電源手段と、上記電源部とを切り替えて動作させ、
上記高インピーダンス電源手段が動作しているときに、上記信号発信手段から信号を発信するようにしたことを特徴とする電源供給アダプタ。
【請求項７】
電源供給アダプタと２端子で接続されうる電子機器において、
上記電源供給アダプタから発信される信号を受信する信号受信手段と、
上記信号受信手段に受信された上記信号に基づいて制御する制御手段と、
上記制御手段によって制御され、信号を上記電源供給アダプタへ発信する信号発信手段と、
上記電源供給アダプタから供給される電源を切断するスイッチ手段とからなり、
上記信号受信手段は、上記信号発信手段から発信された信号を受信し、上記受信した信号が上記信号発信手段から発信された信号か否かを判断するようにしたことを特徴とする電子機器。
【請求項８】
電源供給アダプタと２端子で接続されうる電子機器において、
上記電源供給アダプタから発信される信号を受信する信号受信手段と、
上記信号受信手段に受信された上記信号に基づいて制御する制御手段と、
上記制御手段によって制御され、信号を上記電源供給アダプタへ発信する信号発信手段と、
上記電源供給アダプタから供給される電源を切断するスイッチ手段とからなり、
上記制御手段は、
上記信号発信手段から発信された信号に基づいて、上記スイッチ手段のオン／オフ動作を制御するようにしたことを特徴とする電子機器。
【請求項９】
電源供給アダプタと２端子で接続されうる電子機器において、
信号を上記電源供給アダプタへ発信する信号発信手段と、
上記信号発信手段を制御する制御手段と、
上記電源供給アダプタから供給される電源を切断するスイッチ手段とからなり、
上記制御手段は、
上記信号発信手段から発信された信号に基づいて、上記スイッチ手段のオン／オフ動作を制御するようにしたことを特徴とする電子機器。
【請求項１０】
交流電源と接続され、所定の直流電源電圧を発生する電源供給アダプタと、上記電源供給アダプタと電子機器とが２端子で接続される信号伝送システムにおいて、
上記電源供給アダプタは、
小電力を出力する小電力モードと、大電力を出力する大電力モードとを切り替え可能な電源部と、
上記電源部から出力される電流を検出する電流検出手段と、
上記電子機器から発信される信号を受信する第１の信号受信手段と、
上記電流検出手段で検出された上記電流が基準以下の場合、上記電源部を小電力モードで動作させると共に、上記第１の信号受信手段を動作させるようにした第１の制御手段とを有し、
上記電子機器は、
信号を上記電源供給アダプタへ発信する第２の信号発信手段と、
上記第２の信号発信手段を制御する第２の制御手段と、
上記電源供給アダプタから供給される電源を切断するスイッチ手段とを有することを特徴とする信号伝送システム。
【請求項１１】
請求項１０において、
上記第１の制御手段は、
上記第１の信号受信手段で受信した信号に基づいて上記電源部の上記小電力モードおよび／または上記大電力モードの動作を制御するようにしたことを特徴とする信号伝送システム。
【請求項１２】
請求項１０において、
さらに、上記電源供給アダプタには、
信号を上記電子機器へ発信する第１の信号発信手段を有し、
上記電子機器には、
上記第２の制御手段によって制御され、上記電源供給アダプタから発信される信号を受信する第２の信号受信手段とを有するようにしたことを特徴とする信号伝送システム。
【請求項１３】
交流電源と接続され、所定の直流電源電圧を発生する電源供給アダプタと、上記電源供給アダプタと電子機器とが２端子で接続される信号伝送システムにおいて、
上記電源供給アダプタは、
小電力を出力する小電力モードと、大電力を出力する大電力モードとを切り替え可能な電源部と、
上記電源部から出力される電流を検出する電流検出手段と、
信号を上記電子機器へ発信する第１の信号発信手段と、
上記電流検出手段で検出された上記電流が基準以下の場合、上記電源部を小電力モードで動作させると共に、上記第１の信号発信手段を動作させるようにした第１の制御手段とを有し、
上記電子機器には、
上記電源供給アダプタから発信される信号を受信する第２の信号受信手段と、
上記第２の信号受信手段に受信された上記信号に基づいて制御する第２の制御手段と、
上記電源供給アダプタから供給される電源を切断するスイッチ手段とを有することを特徴とする信号伝送システム。
【請求項１４】
請求項１２または請求項１３において、
上記第２の制御手段は、
上記第２の信号受信手段で受信した信号に基づいて上記スイッチ手段のオン／オフ動作を制御するようにしたことを特徴とする信号伝送システム。
【請求項１５】
請求項１２または請求項１４において、
上記電源供給アダプタに高インピーダンス電源手段を備え、
上記高インピーダンス電源手段と、上記電源部とを切り替えて動作させ、
上記高インピーダンス電源手段が動作しているときに、上記第１の信号発信手段から信号を発信するようにしたことを特徴とする信号伝送システム。
【発明の詳細な説明】
【０００１】
【発明の属する技術分野】
この発明は、特に電源供給アダプタと電子機器とを＋端子と−端子との２つの端子で接続して信号を伝送することが可能な電源供給アダプタ、電子機器および信号伝送システムに関する。
【０００２】
【従来の技術】
電子機器の二次電池として、リチウムイオン電池が注目を集めている。リチウムイオン電池は、従来の二次電池と比べ、持続時間が長くでき、しかもメモリ効果が殆どないという利点がある。そのリチウムイオン電池を充電する場合には、電源供給アダプタ（以下、ＡＣアダプタと称する）と電子機器のマイコン（マイクロコンピュータ）による信号のやり取りによって、当該電子機器に接続されたＡＣアダプタが当該電子機器と正しい対応関係のＡＣアダプタであるか否かが判別されている。それは、二次電池の定格、例えば４．２Ｖ／０．５Ａを超えて電圧、電流が供給された場合、例えば６Ｖ／１Ａで充電された場合、二次電池が破損するおそれがあるためである。
【０００３】
【発明が解決しようとする課題】
そこで、そのような場合、図３４Ａに示すように、商用電源に接続可能なコンセントを備えたＡＣアダプタ２９１と電子機器のセット２９２とが＋端子、−端子そして信号端子の３端子で接続する必要があった。
【０００４】
しかしながら、ＡＣアダプタ２９１とセット２９２との間に電源供給に必要な＋端子および−端子の２つの端子とは別に信号端子を１つ設けることによるコストアップや、充電器が発熱して破損するのを抑えるための保護回路を付加することによる大型化が問題となっている。また、その信号端子に発生するノイズによる誤動作も問題となっている。
【０００５】
また、ＡＣアダプタ２９１とセット２９２とを２端子で接続する場合、図３４Ｂに示すように、フィルタを使用する方法がある。
【０００６】
しかしながら、フィルタを使用した場合、フィルタが高価になり、大きくなる欠点が生じ、ノイズなどが発生し、特定の周波数を使用する必要があるなどの問題があった。
【０００７】
従って、この発明の目的は、＋端子と−端子との２つの端子を用いて、ＡＣアダプタと電子機器とを接続するようにしても通信することができる電源供給アダプタ、電子機器および信号伝送システムを提供することにある。
【０００８】
【課題を解決するための手段】
請求項１に記載の発明は、電子機器と２端子で接続されうる電源供給アダプタにおいて、小電力を出力する小電力モードと、大電力を出力する大電力モードとを切り替え可能な電源部と、電源部から出力される電流を検出する電流検出手段と、電子機器から発信される信号を受信する信号受信手段と、電流検出手段で検出された電流が基準以下の場合、電源部を小電力モードで動作させると共に、信号受信手段を動作させるようにした制御手段とからなることを特徴とする電源供給アダプタである。
【０００９】
請求項４に記載の発明は、電子機器と２端子で接続されうる電源供給アダプタにおいて、小電力を出力する小電力モードと、大電力を出力する大電力モードとを切り替え可能な電源部と、電源部から出力される電流を検出する電流検出手段と、信号を電子機器へ発信する信号発信手段と、電流検出手段で検出された電流が基準以下の場合、電源部を小電力モードで動作させると共に、信号発信手段を動作させるようにした制御手段とからなることを特徴とする電源供給アダプタである。
【００１０】
請求項７に記載の発明は、電源供給アダプタと２端子で接続されうる電子機器において、電源供給アダプタから発信される信号を受信する信号受信手段と、信号受信手段に受信された信号に基づいて制御する制御手段と、制御手段によって制御され、信号を電源供給アダプタへ発信する信号発信手段と、電源供給アダプタから供給される電源を切断するスイッチ手段とからなり、信号受信手段は、信号発信手段から発信された信号を受信し、受信した信号が信号発信手段から発信された信号か否かを判断するようにしたことを特徴とする電子機器である。
請求項８に記載の発明は、電源供給アダプタと２端子で接続されうる電子機器において、電源供給アダプタから発信される信号を受信する信号受信手段と、信号受信手段に受信された信号に基づいて制御する制御手段と、制御手段によって制御され、信号を電源供給アダプタへ発信する信号発信手段と、電源供給アダプタから供給される電源を切断するスイッチ手段とからなり、制御手段は、信号発信手段から発信された信号に基づいて、スイッチ手段のオン／オフ動作を制御するようにしたことを特徴とする電子機器である。
【００１１】
請求項９に記載の発明は、電源供給アダプタと２端子で接続されうる電子機器において、信号を電源供給アダプタへ発信する信号発信手段と、信号発信手段を制御する制御手段と、電源供給アダプタから供給される電源を切断するスイッチ手段とからなり、制御手段は、信号発信手段から発信された信号に基づいて、スイッチ手段のオン／オフ動作を制御するようにしたことを特徴とする電子機器である。
【００１２】
請求項１０に記載の発明は、交流電源と接続され、所定の直流電源電圧を発生する電源供給アダプタと、電源供給アダプタと電子機器とが２端子で接続される信号伝送システムにおいて、電源供給アダプタは、小電力を出力する小電力モードと、大電力を出力する大電力モードとを切り替え可能な電源部と、電源部から出力される電流を検出する電流検出手段と、電子機器から発信される信号を受信する第１の信号受信手段と、電流検出手段で検出された電流が基準以下の場合、電源部を小電力モードで動作させると共に、第１の信号受信手段を動作させるようにした第１の制御手段とを有し、電子機器は、信号を電源供給アダプタへ発信する第２の信号発信手段と、第２の信号発信手段を制御する第２の制御手段と、電源供給アダプタから供給される電源を切断するスイッチ手段とを有することを特徴とする信号伝送システムである。
【００１３】
請求項１３に記載の発明は、交流電源と接続され、所定の直流電源電圧を発生する電源供給アダプタと、電源供給アダプタと電子機器とが２端子で接続される信号伝送システムにおいて、電源供給アダプタは、小電力を出力する小電力モードと、大電力を出力する大電力モードとを切り替え可能な電源部と、電源部から出力される電流を検出する電流検出手段と、信号を電子機器へ発信する第１の信号発信手段と、電流検出手段で検出された電流が基準以下の場合、電源部を小電力モードで動作させると共に、第１の信号発信手段を動作させるようにした第１の制御手段とを有し、電子機器には、電源供給アダプタから発信される信号を受信する第２の信号受信手段と、第２の信号受信手段に受信された信号に基づいて制御する第２の制御手段と、電源供給アダプタから供給される電源を切断するスイッチ手段とを有することを特徴とする信号伝送システムである。
【００１４】
このように、ＡＣアダプタとセットとを＋端子と−端子の２つの端子で接続しても信号を発信および受信することができる。ＡＣアダプタから現在のＡＣアダプタの状態を意味する信号を伝送することによって、その信号を受信したセットは、ＡＣアダプタの状態にあうように状態を制御する。また、セットから現在のセットの状態を意味する信号を伝送することによって、その信号を受信したＡＣアダプタは、セットの状態にあうように電圧電流を出力する。
【００１５】
【発明の実施の形態】
以下、この発明の実施形態について図面を参照して説明する。図１は、この発明が適用された実施形態の概略的構成を示す。商用電源が接続可能なコンセント１と結合されたＡＣアダプタ２と、セット３とが接続される。この図１では、セット３の一例として、携帯用電話機が用いられている。セット３には、負荷回路４が含まれる。この負荷回路４には、二次電池が含まれる。
【００１６】
説明を容易とするために、この発明の基本的な通信方法を図２を用いて説明する。この図２は、ＡＣアダプタ２の出力段とセット３の入力段の一例の概略図である。ＡＣアダプタ２の出力段は、負荷停止検出回路１１、信号受信／発信回路１２および制御回路１３から構成され、負荷回路４の入力段は、電源状態検出回路１４、信号受信／発信回路１５および制御回路１６から構成される。
【００１７】
入力端子Ｔ１およびＴ２を介して商用電源から作られた直流の電圧電流が供給される。負荷停止検出回路１１では、負荷、すなわちセット３が接続されているか、否かが検出される。信号受信／発信回路１２では、負荷停止検出回路１１を介してセット３からの信号を受信する、または負荷停止検出回路１１を介してセット３へ信号が発信される。制御回路１３では、受信した信号または発信した信号に応じてＡＣアダプタ２が制御される。
【００１８】
出力端子Ｔ３およびＴ４を介して負荷回路４へ電圧電流が供給される。電源状態検出回路１４では、ＡＣアダプタ２から電源の供給が停止されたか、または電圧電流が変化したかが検出される。信号受信／発信回路１５では、ＡＣアダプタ２から信号を受信する、またはＡＣアダプタ２へ信号が発信される。制御回路１６では、受信した信号または発信した信号に応じてセット３が制御される。
【００１９】
このときの動作を説明する。まず、セット３は、負荷接続を一時切り離す。ＡＣアダプタ２は、セット３の負荷が停止したことを検出する。この検出によって、ＡＣアダプタ２では、信号を受信または発信できる状態（小電力モード）に切り替えられる。ＡＣアダプタ２とセット３とは、信号を通信する。
【００２０】
また、ＡＣアダプタ２は、電源供給後、電源供給を一時停止する。セット３は、電源供給が停止したことを検出する。セット３では、負荷を停止し、信号を受信または発信できる状態（小電力モード）に切り替えられる。ＡＣアダプタ２とセット３とは、信号を通信する。
【００２１】
信号伝送する方向は、セット３、ＡＣアダプタ２からセット負荷一時停止および電源供給一時停止させることによってわかる。この動作により信号を通信する。
【００２２】
この発明が適用された信号伝送システムのいくつかの例について説明する。図３は、第１の例の概略的なブロック図を示す。ＡＣアダプタ２は、スイッチ回路４３がオン状態であるので、大電力回路４４で動作する。このとき、電流検出回路４１において、セット３のスイッチ回路４６のオフ状態が検出された場合、スイッチ回路４３をオフ状態とし、ＡＣアダプタ２は、小電力回路４２のみで動作する。ＡＣアダプタ２がこの小電力回路４２のみで動作するとき、セット３の信号発信回路４７から信号が発信される。その信号を信号受信回路４５で受信し、受信した信号に応じてＡＣアダプタ２が制御される。
【００２３】
ここで、大電力回路４４は、図４に示すように、一例として５Ｖ／１Ａの電圧電流を出力し、小電力回路４２は、５Ｖ／１０ｍＡの電圧電流を出力する。そして、電流検出回路４１において、検出される電流が２０ｍＡ以下になると、スイッチ回路４４がオフ状態である、または無負荷に近い状態であると判断し、スイッチ回路４３をオフ状態とし、小電力回路４２のみで動作するようにする。そして、信号発信回路４７から信号が発信され、信号受信回路４５で受信される。
【００２４】
この発明が適用された信号伝送システムの第２の例の概略的なブロック図を図５に示す。ＡＣアダプタ２は、スイッチ回路１６４がオン状態であり、大電力回路１６３で動作する。ここで、スイッチＯＦＦ信号発信回路１６６によって制御された、小電力回路１６２および大電力回路１６３からセット３のスイッチ回路１６７をオフ状態とするための信号が発信される。その信号を検出回路１６８で検出し、スイッチ回路１６７がオフ状態とされる。そして、ＡＣアダプタ２では、スイッチ回路１６７がオフ状態となったことが電流検出回路１６１で検出され、電流検出回路１６１によって、スイッチ回路１６４がオフ状態とされる。すなわち、小電力回路１６２のみの動作となる。また、電流検出回路１６１でスイッチ回路１６７がオフ状態となったことが検出された場合、信号発信回路１６５によって制御された、小電力回路１６２からセット３に対して信号が発信される。
【００２５】
この発明が適用された信号伝送システムの第３の例の概略的なブロック図を図６に示す。ＡＣアダプタ２は、小電力回路２０２で動作し、スイッチＯＦＦ信号を発信する。そして、電流検出回路２０１では、セット３のスイッチ回路２０７のオフ状態が検出される。この状態からセット３の信号発信回路２０６は、スイッチ回路２０７のオン／オフ動作を繰り返すように制御することにより、信号を発信させる。その信号を信号受信回路２０５で受信すると、スイッチ回路２０４がオフ状態からオン状態へ切り替えられる。すなわち、ＡＣアダプタ２は、セット３からの信号で小電力モードから大電力モードへ切り替えられる。
【００２６】
この発明が適用された信号伝送システムの第４の例の概略的なブロック図を図７に示す。ＡＣアダプタ２は、小電力回路２１１で動作し、ＡＣアダプタ２から信号を発信する。このとき、信号発信確認検出回路２１２では、発信した信号が正確に発信しているか判断される。そして、信号がないと判断された場合、タイマ回路２１３の所定の時間Δｔを経過した後、ストップ回路２１４によって制御され、小電力回路２１１の動作は停止される。このとき、セット３でも信号発信確認検出回路２１５によって、信号が発信されたか否かが検出される。
【００２７】
この発明が適用された信号伝送システムの第５の例の概略的なブロック図を図８に示す。この第５の実施形態では、ＡＣアダプタ２またはセット３の一方が信号を発信し、他方が信号を受信する状態になっている。このとき、先に信号を発信した方が信号を発信する優先権を有する。しかし、優先権を有しない方が信号を発信することにより優先権を有することができる。具体的には、小電力回路２２１で動作し、通信モード発信／受信回路２２２において図７中のａに示すように信号を発信する。また、ＡＣアダプタ２に優先権がある場合、セット３からスイッチ回路２２４のオン／オフ動作によって図７中のｂに示すように信号が発信された場合、優先権がセット３に移る。そして、通信モード発信／受信回路２２３からＡＣアダプタ２へ信号が発信される。
【００２８】
上述した図２に示す、この発明の基本的な通信方法に対応した第１の実施形態を図１０に示す。ＡＣアダプタ２では、電源モードＡ回路２１および電源モードＢ回路２２によって、セット３に供給する電圧電流が制御される。スイッチＯＦＦ検出回路２３では、セット３のスイッチ回路２８がオフされたか否かが検出される。その検出結果は、信号受信回路２４および切り替え回路２６へ供給される。信号受信回路２４では、スイッチＯＦＦ検出回路２３からの検出結果と、セット３から伝送される信号とが受信される。信号発信回路２５では、信号部２７から供給された信号に応じて信号をセット３および切り替え回路２６へ供給する。切り替え回路２６では、スイッチＯＦＦ検出回路２３からの検出結果と、信号発信回路２５からの信号とに応じて、電源モードＡ回路２１および電源モードＢ回路２２を切り替える制御が行われる。
【００２９】
セット３では、ＡＣアダプタ２から伝送された信号が、モード検出回路３２へ供給される。モード検出回路３２では、伝送された信号から通信モードか電源供給モードのいずれかが検出されると共に、その信号が受信回路３３へ供給される。受信回路３３では、供給された信号が端子３４を介して制御部へ供給される。
【００３０】
モード検出回路３２で検出されたモードに応じて、このセット３は、動作する。まず、電源供給モードの場合、スイッチ回路２８がオン状態となり、出力端子Ｔ３およびＴ４を介して、電源がセット側に供給される。通信モードの場合、ストップ回路２９から出力される指示は、スイッチ回路２８および信号発信回路３０へ供給される。この指示に応じてスイッチ回路２８をオフ状態とする。また、信号発信回路３０では、ストップ回路２９からの指示と、信号部３１からの信号とに応じて信号が発信される。
【００３１】
通信モードにおいて、セット３からＡＣアダプタ２へ通信を行う場合、ＡＣアダプタ２は、セット３のスイッチ回路２８のオフ状態を検出する。スイッチ回路２８のオフ状態を検出した場合、ＡＣアダプタ２は、通信できる電源モードに切り替えた後、信号を発信する。
【００３２】
ＡＣアダプタ２から通信を行う場合、セット３およびＡＣアダプタ２の一時停止または電圧変化を検出する。スイッチ回路２８をオフ状態とし、ＡＣアダプタ２およびセット３をそれぞれ通信モードに切り替える。
【００３３】
上述した図３の第１の例の概略的な構成からなる第２の実施形態を図１１に示す。ＡＣアダプタ２では、スイッチ回路５４がオン状態となり、大電力回路５３が動作する。このとき、電流検出回路５１において、セット３のスイッチ回路６４のオフ状態が検出された場合、スイッチ回路５４をオフ状態とし、ＡＣアダプタ２は、小電力回路５２のみで動作する。また、電流検出回路５１の検出結果は、受信回路５５にも供給される。受信回路５５では、供給された信号によって、スイッチ回路６４がオフ状態であると判断すると、受信状態となり、セット３からの信号を受信すると制御回路５６へ信号を供給する。
【００３４】
セット３では、制御回路６２によって、ストップ回路６３を制御することにより、スイッチ回路６４がオフ状態とされる。スイッチ回路６４をオフ状態とした後に、制御回路６２は、信号発信回路６５を制御することにより、スイッチ回路６６のオン／オフ動作を制御する。このスイッチ回路６６のオン／オフ動作を制御することにより、定電圧定電流を流すための負荷回路６７をオン／オフすることとなり、信号が生成される。スイッチ回路６６のオン／オフ動作により生成される信号を受信回路６１において受信し、受信した信号は、制御回路６２へ供給される。制御回路６２では、供給された信号に応じて信号発信回路６５を介して、スイッチ回路６６のオン／オフ動作が制御される。また、制御回路６２は、信号の有無の確認により全動作をストップさせるための信号を発信する。
【００３５】
上述した図３の第１の例の概略的な構成からなる第３の実施形態を図１２に示す。ＡＣアダプタ２は、小電力回路７２および／または大電力回路７３で動作する。入力端子Ｔ１と接続された電流検出回路７１で検出された電流の検出結果は、ストップ回路７４へ供給される。このＡＣアダプタ２では、小電力回路７２および大電力回路７３が制御され、電圧電流が出力される。
【００３６】
受信回路７５では、セット３から伝送される信号が受信される。受信された信号は、ストップ回路７４および信号分析回路７６へ供給される。ストップ回路７４では、電流検出回路７１からの検出結果と、受信回路７５からの信号とに基づいて大電力回路７３の動作を停止させる。信号分析回路７６では、供給された信号の分析が行われ、分析結果は、スイッチ制御回路７９およびメモリ信号７７へ供給される。
【００３７】
スイッチ制御回路７９では、供給された分析結果に基づいてスイッチ回路８０が切り替えられる。スイッチ回路８０には、ＡＣアダプタＡモード８１、ＡＣアダプタＢモード８２および充電モード８３から制御信号が供給される。その中から適宜選択された制御信号は、小電力回路７２および大電力回路７３へ供給される。小電力回路７２および大電力回路７３は、供給された制御信号に応じて動作される。
【００３８】
充電モード８３と結合される充電メモリ８４では、充電モードの状態が記憶される。充電モードが記憶されると、メモリ信号７７へ信号が供給される。メモリ信号７７では、信号分析回路７６からの分析結果と、充電メモリ８４からの信号とに基づいて信号が生成される。生成された信号は、信号発信回路７８へ供給される。信号発信回路７８では、供給された信号に基づいて信号が発信される。
【００３９】
信号受信回路９１では、ＡＣアダプタ２から伝送される信号が受信される。受信された信号は、信号分析回路９２において分析される。その分析結果は、表示部９３、ＯＮ／ＯＦＦ回路９４および選定回路９７へ供給される。表示部９３では、例えば液晶ディスプレイによって分析結果が表示され、ユーザに現在のモードが知らされる。また、表示部の一例として、液晶ディスプレイとしたが、音声によって知らせるようにしても良い。
【００４０】
選定回路９７では、供給された分析結果に基づいてスイッチ回路９８を切り替えるための信号がスイッチ回路９８へ供給される。スイッチ回路９８では、選定回路９７によって適宜選択された信号がスイッチＯＦＦ回路１０４および信号発信回路１０６へ供給される。温度検出回路９９では、例えば二次電池（図示しない）の温度が検出され、検出結果がスイッチ回路９８を介して信号発信回路１０６へ供給される。
【００４１】
充電モード１００では、セット３が充電モードに設定されていることがスイッチ回路９８を介して信号発信回路１０６へ供給される。ＡＣアダプタモード１０１では、セット３がＡＣアダプタモードに設定されていることがスイッチ回路９８を介して信号発信回路１０６へ供給される。
【００４２】
電圧検出電流検出回路１０２では、電圧および電流が検出される。検出された電圧および電流が電圧電流回路１０３へ供給される。電圧電流回路１０３では、現在の電圧をΔＶだけ高くなるようにスイッチ回路９８を介して信号が信号発信回路１０６へ供給される。同様に、現在の電流をΔＩだけ高くなるようにスイッチ回路９８を介して信号が電圧電流回路１０３から信号発信回路１０６へ供給される。信号発信回路１０６では、スイッチ回路９８を介して供給された信号に応じた信号が発信される。
【００４３】
電圧検出回路１０５では、供給される電圧が検出される。その検出結果は、スイッチＯＦＦ回路１０４へ供給される。スイッチＯＦＦ回路１０４では、スイッチ回路９８からの信号と、電圧検出回路１０５からの検出結果とからスイッチ回路９６をオフ状態とするための信号が制御回路９５へ供給される。制御回路９５では、ＯＮ／ＯＦＦ回路９４からの信号と、スイッチＯＦＦ回路からの信号とに基づいてスイッチ回路９６を制御するための制御信号がスイッチ回路９６へ供給される。スイッチ回路９６では、制御回路９５からの制御信号に応じてスイッチ回路９６のオン／オフ動作が制御される。
【００４４】
上述した図３の第１の例の概略的な構成からなる第４の実施形態を図１３に示す。この図１３は、ＡＣアダプタ２およびセット３の制御部分にマイコン（マイクロコンピュータ）を用いたものである。
【００４５】
ＡＣアダプタ２は、小電力回路１１２および／または大電力回路１１３で動作する。入力端子Ｔ１と接続された電流検出回路１１１で検出された電流の検出結果は、ストップ回路１１４およびマイコン１１６へ供給される。受信回路１１５では、セット３からの信号が受信される。受信した信号は、マイコン１１６へ供給される。マイコン１１６では、供給された検出結果と、信号とからＡＣアダプタ２を制御するために、制御信号をストップ回路１１４、各モード動作回路１１７および信号発信回路１１９へ供給される。ストップ回路１１４は、電流の検出結果と、マイコン１１６からの制御信号に基づいて、大電力回路１１３の動作を停止するように制御する。
【００４６】
各モード動作回路１１７では、マイコン１１６からの制御信号に応じたモードでこのＡＣアダプタ２を動作させるために、制御回路１１８へ信号を供給する。制御回路１１８は、その信号に応じて小電力回路１１２および大電力回路１１３を制御する。信号発信回路１１９では、マイコン１１６からの制御信号に応じて信号が伝送される。
【００４７】
セット３は、信号受信回路１２１において、ＡＣアダプタ２から伝送された信号が受信される。信号受信回路１２１では、受信した信号を信号分析回路９２へ供給する。信号分析回路１２２では、供給された信号が分析され、その分析結果は、マイコン１２３へ供給される。電圧検出回路１２４では、検出された電圧の検出結果がマイコン１２３へ供給される。電圧検出・電流検出回路１２５では、現在の電圧および電流が検出される。検出された電圧および電流は、マイコン１２３へ供給される。
【００４８】
温度検出回路１２６では、例えば二次電池（図示しない）の温度が検出される。検出された温度は、マイコン１２３へ供給される。ＡＣアダプタモード１２７では、セット３が現在ＡＣアダプタ２から電圧電流が供給されるＡＣアダプタモードとなっている場合、マイコン１２３へその旨を意味する信号を供給する。充電モード１２８では、セット３が現在二次電池を充電する充電モードとなっている場合、マイコン１２３へその旨を意味する信号を供給する。
【００４９】
マイコン１２３では、供給された信号に基づいて制御信号が信号発信回路１２９および制御回路１３０へ供給される。信号発信回路１２９では、マイコン１２３からの制御信号に応じて信号が発信する。制御回路１３０では、マイコン１２３からの制御信号に応じてスイッチ回路１３１のオン／オフ動作を制御する信号が出力する。
【００５０】
上述した図１１、図１２および図１３の構成の動作を説明するためのフローチャートを図１４および図１５に示す。まず、ＡＣアダプタ２の動作を図１４のフローチャートを用いて説明する。ステップＳ１では、電流が検出される。ステップＳ２では、検出された電流がスイッチ回路がオフ状態の時の電流か否かが判断され、スイッチ回路がオフ状態であると判断された場合、ステップＳ３へ制御が移り、スイッチ回路がオン状態であると判断された場合、ステップＳ１へ制御が戻る。
【００５１】
ステップＳ３では、スイッチ回路がオフ状態であると判断されたので、ＡＣアダプタ２を小電力モードで動作させる。ステップＳ４では、ＡＣアダプタ２を信号受信モードとする。ステップＳ５では、信号を受信したか否かが判断され、信号を受信したと判断した場合、ステップＳ６へ制御が移り、信号を受信していないと判断した場合、ステップＳ４へ制御が戻る。ステップＳ６では、受信した信号の分析が行われる。
【００５２】
ステップＳ７では、分析された結果に応じてモードの選定が行われ、充電用の電圧電流を出力する場合、ステップＳ８へ制御が移り、ＡＣアダプタＡに設定される電圧電流を出力する場合、ステップＳ９へ制御が移り、ＡＣアダプタＢに設定される電圧電流を出力する場合、ステップＳ１０へ制御が移り、電圧電流を制御して出力する場合、ステップＳ１１へ制御が移る。ステップＳ８では、ＡＣアダプタ２がセット３の二次電池を充電するための電圧電流を出力する充電モードに設定される。
【００５３】
ステップＳ９では、ＡＣアダプタ２がセット３に対してＡＣアダプタとして電圧電流を出力するＡＣアダプタＡモードに設定される。ステップＳ１０では、ＡＣアダプタ２がセット３に対してＡＣアダプタとして電圧電流を出力するＡＣアダプタＢモードに設定される。このとき、ＡＣアダプタＡモードとＡＣアダプタＢモードとは、共にセット３に電圧電流をＡＣアダプタとして供給するモードであるが、例えば電圧の値および／または電流の値が異なるモードである。
【００５４】
ステップＳ１１では、ＡＣアダプタ２がセット３に対して制御した電圧電流の値を出力する制御モードに設定される。この一例では、この制御モードは、電圧電流を高くする。具体的には、このモードが設定されると、電圧はΔＶだけ高くされ、ＡＣアダプタ２からセット３へ出力され、同様に電流はΔＩだけ高くされ、ＡＣアダプタ２からセット３へ出力される。ステップＳ１２では、設定されたモードに応じて大電力回路および／または小電力回路が制御される。そして、制御はステップＳ１へ戻る。
【００５５】
次に、セット３の動作を図１５のフローチャートを用いて説明する。ステップＳ２１では、セット３の制御回路が動作する。ステップＳ２２では、スイッチ回路をオン状態からオフ状態へ切り替えられる。ステップＳ２３では、信号発信回路を動作させる。ステップＳ２４では、スイッチ回路のオン／オフ動作が切り替えられ、信号が発信される。ステップＳ２５では、発信した信号が受信回路で受信される。ステップ２６では、受信された信号の有無が判断され、信号があると判断された場合、ステップＳ２５へ制御が戻り、信号がないと判断された場合、ステップＳ２７へ制御が移る。ステップＳ２７では、セット３の全回路の動作を停止させる。この実施形態では、制御回路を動作させた後、スイッチ回路をオフ状態とし、信号発信回路を動作しているが、最初から信号発信回路を動作するようにしても良い。すなわち、フローチャートをステップＳ２３から始まるようにしても良い。
【００５６】
ここで、セット３から信号を発信する信号発信回路の詳細な回路図を図１６に示す。ＡＣアダプタ２では、小電力／大電力回路１４１が制御回路１４２によって制御され、まず小電力で動作される。セット３の信号発信部を説明する。ＮＰＮ型のトランジスタ１４４のコレクタは、ツェナーダイオード１４７のカソードと接続され、そのエミッタは、抵抗１４４を介して接地され、そのベースは、ＮＰＮ型のトランジスタ１４５のコレクタと接続される。トランジスタ１４５のベースは、トランジスタ１４４のエミッタと接続され、そのエミッタは、接地される。ツェナーダイオード１４７のアノードと、ＰＮＰ型のトランジスタ１４９のエミッタとの間に抵抗１４８が挿入される。トランジスタ１４９のエミッタ、ベース間に抵抗１５０が挿入される。トランジスタ１４９のコレクタは、トランジスタ１４５のコレクタと接続され、そのベースは、抵抗１５１を介してＮＰＮ型のトランジスタ１５２のコレクタと接続される。トランジスタ１５２のエミッタは、接地される。
【００５７】
そして、ツェナーダイオード１４７のカソードと接地との間に定電圧回路１５３および回路１５４が直列に挿入される。定電圧回路１５３は、５〜７ｍＡの電流が流れる３Ｖのレギュレータとする。回路１５４は、例えば二次電池および携帯用電話機などの回路である。
【００５８】
図１７Ａに示す信号が、トランジスタ１５２のベースに供給される。トランジスタ１５２のベースに供給される信号がオン状態となると、トランジスタ１４９、そしてトランジスタ１４４がオン状態となる。トランジスタ１５２のベースに供給される信号がオフ状態となると、トランジスタ１４９、そしてトランジスタ１４４がオフ状態となる。このように、トランジスタ１５２のベースにオン／オフの信号を供給し、トランジスタ１５２をオン／オフすることで、トランジスタ１４４をオン／オフすることができる。
【００５９】
このとき、例えばツェナーダイオード１４７が３Ｖでオン状態となる場合、図１７Ｂに示すように、トランジスタ１５２がオン状態のときに、３Ｖとなり、オフ状態のときに５Ｖとなる。そして、トランジスタ１４４を出力電圧分オン状態とさせる。図１７Ｃに示すように、トランジスタ１５２がオン状態となり、トランジスタ１４９がオン状態となる。このとき、トランジスタ１４４および１４５には、ツェナーダイオード１４７までの電流Ｉ1 （小電力モード）より定電流が大きいので、ツェナーダイオード１４７の電圧Ｖ1 まで流れる。よって、トランジスタ１５２のオン／オフ動作をすることで、図１７Ｂに示す信号をつくることができる。
【００６０】
一例として、図１７Ｂの信号をセット３から発信し、ＡＣアダプタ２の受信回路１４３で受信する。受信した信号は、制御回路１４２へ供給される。制御回路１４２は、小電力／大電力回路１４１を制御し、大電力で動作するように切り替える。
【００６１】
上述した図５の第２の例の概略的な構成からなる第５の実施形態を図１８に示す。ＡＣアダプタ２は、スイッチ回路１７４をオン状態とし、小電力回路１７２および大電力回路１７３で動作する。セット側のスイッチ回路１８４をオフ状態とするためのスイッチＯＦＦ信号がスイッチＯＦＦ信号回路１８０からスイッチＯＦＦ確認回路１７５、信号発信確認回路１７７および小電力回路１７２へ供給される。このとき、小電力回路１７２からスイッチ回路１８４をオフ状態とするためのスイッチＯＦＦ信号が発信される。信号発信確認回路１７７では、スイッチＯＦＦ信号回路１８０から信号が供給された後に、小電力回路１７２からスイッチ回路１８４をオフ状態にする信号が発信されたことが確認される。その信号を受けてセット３のスイッチＯＦＦ信号回路１８３がオフ状態となると、そのオフ状態が電流検出回路１７１によって、検出される。
【００６２】
スイッチＯＦＦ確認回路１７５では、スイッチＯＦＦ信号回路１８０からの信号が供給された後、電流検出回路１７１において、オフ状態が検出されると、スイッチ回路１７４、信号発信回路１７６およびタイマ回路１７８へ信号が供給される。その信号が供給されたスイッチ回路１７４は、オフ状態となる。すなわち、ＡＣアダプタ２は、小電力回路１７２のみで動作する。タイマ回路１７８では、所定の時間の後、ストップ回路１７９へ信号が供給される。タイマ回路１７８からの信号が供給されたストップ回路１７９は、小電力回路１７２および大電力回路１７３の動作を停止するための信号をそれぞれに供給する。信号発信回路１７６では、信号を発信するために、信号発信確認回路１７７へ信号を供給する。信号発信確認回路１７７では、信号発信回路１７６からの信号と、スイッチＯＦＦ信号回路１８０からの信号とに基づいて、信号を発信すると共に、その信号を発信したことが確認される。
【００６３】
セット３では、電流検出回路１８１において電流が検出され、検出された電流はスイッチＯＦＦ確認回路１８２へ供給される。また、電圧検出回路１８５において電圧が検出され、検出された電圧はスイッチＯＦＦ確認回路１８２へ供給される。スイッチＯＦＦ信号回路１８３では、ＡＣアダプタ２からスイッチ回路１８４をオフ状態とするための信号が受信され、その信号をスイッチＯＦＦ確認回路１８２へ供給すると共に、スイッチ回路１８４をオフ状態とする。スイッチ回路１８４では、電流検出回路１８１からの電流と、電圧検出回路１８５からの電圧と、スイッチＯＦＦ信号回路１８３からの信号とから、スイッチ回路１８４がオフ状態であることが確認される。
【００６４】
スイッチ回路１８４がオフ状態であることが確認されると、スイッチＯＦＦ確認回路１８２から信号受信回路１８６へ信号が供給される。これは、スイッチ回路１８４がオフ状態となったことを電流検出回路１７１が検出した場合、ＡＣアダプタ２は、小電力動作とした後、信号が発信される。その信号をスイッチＯＦＦ確認回路１８２からの信号の後に受信すると、信号受信回路１８６から制御回路１８７および処理回路１８８へ信号が供給される。制御回路１８７では、供給された信号に応じた制御が行われる。例えば、セット３からさらに信号を発信するための信号発信回路１８９などに信号が供給される。処理回路１８８では、セット側の電源部の温度または二次電池充電容量などの表示および電圧電流の制御の切り替えが行われる。
【００６５】
上述した図１８の構成の動作を説明するためのフローチャートを図１９、図２０および図２１に示す。ステップＳ３１では、ＡＣアダプタ２が動作する。ステップＳ３２では、スイッチ回路１８４をオフ状態とするためのスイッチＯＦＦ信号がＡＣアダプタ２からセット３へ発信される。ステップＳ３３では、スイッチ回路１８４のオフ状態を検出するために電流検出回路１７１において電流が検出される。ステップＳ３４では、検出された電流が規準以下か否かが判断され、規準以下と判断された場合、スイッチ回路１８４がオフ状態と判断するのでステップＳ３５へ制御が移り、規準より大きいと判断された場合、スイッチ回路１８４がオン状態と判断するのでステップＳ３９へ制御が移る。
【００６６】
ステップＳ３５では、スイッチ回路１７４がオフ状態とされる。すなわち、ＡＣアダプタ２は、大電力回路１７３がオフ状態となり、小電力回路１７２がオン状態となる。ステップＳ３６では、ＡＣアダプタ２からセット３へ信号が発信される。ステップＳ３７では、発信された信号が確認される。ステップＳ３８では、ＡＣアダプタ２から発信される信号の有無が判断され、信号があると判断された場合、ステップＳ３１へ制御が戻り、信号がないと判断された場合、ステップＳ３９へ制御が移る。
【００６７】
ステップＳ３９では、タイマによって、時間Δｔの間遅延され、ステップＳ４０へ制御が移る。ステップＳ４０では、大電力回路１７３がオフ状態とされ、ステップＳ３１へ制御が戻る。
【００６８】
この図１９のフローチャートでは、ステップＳ３４において、スイッチ回路１８４がオン状態と判断した場合、ステップＳ３９へ制御が移るが、ステップＳ３２へ制御が移るようにしても良い。これは、接続が不完全な場合、遅れが出るときのために、所定の回数だけチェックするようにしても良い。
【００６９】
また、このフローチャートでは、ステップＳ３４において、スイッチ回路１８４がオフ状態と判断した場合、ステップＳ３５へ制御が移るが、ステップＳ３６へ制御が移るようにしても良い。
【００７０】
さらに、このフローチャートでは、ステップＳ３８において、信号がないと判断した場合、ステップＳ３９へ制御が移るが、ステップＳ３６へ制御が移るようにしても良い。
【００７１】
セット３のスイッチ回路をオフ状態とするために、ＡＣアダプタ２から信号を発信する一実施形態のフローチャートを図２０および図２１に示す。ステップＳ４１では、スイッチ回路をオフ状態とするため、ＡＣアダプタ２からスイッチＯＦＦ信号を発信する。ステップＳ４２では、小電力回路のみで動作し、小電力モードにする信号を伝送する。ステップＳ４３では、発信された信号がセット３で受信される。ステップＳ４４では、スイッチ回路がオフ状態とされる。
【００７２】
この一実施形態では、ステップＳ４１の制御の後、ステップＳ４２へ制御が移るようにしているが、点線で示すステップＳ５３へ制御が移るようにしても良い。この場合、ステップＳ５３では、スイッチ回路がオフ状態とされる。ステップＳ５４では、ＡＣアダプタ２が小電力回路のみで動作する小電力モードにされる。
【００７３】
ステップＳ４５では、スイッチ回路のオフ状態を検出するために、電流検出回路によって電流が検出される。ステップＳ４６では、検出された電流が基準以下か否かが判断され、電流が基準より大きいと判断された場合、ステップＳ４７へ制御が移り、基準以下と判断された場合、ステップＳ４９へ制御が移る。すなわち、電流検出回路によって検出された電流を判断することで、スイッチ回路のオン／オフ状態が判断される。
【００７４】
ステップＳ４７では、ステップＳ４６の制御が所定回数ｎ以下か否かが判断され、所定回数ｎ以下の場合、ステップＳ４１へ制御が戻り、所定回数ｎより大きい場合、ステップＳ４８へ制御が移る。すなわち、スイッチ回路の接続が不完全な場合を考え、所定回数ｎの回数だけ繰り返す。ステップＳ４８では、ＡＣアダプタ２から出力される電源が停止される。
【００７５】
ステップＳ４９では、スイッチ回路がオフ状態となった旨を知らせる信号が発信される。ステップＳ５０では、発信した信号を受信し、信号が発信されたことが確認される。ステップＳ５１では、確認された信号が発信した信号か否かが判断され、発信した信号であると判断された場合、ステップＳ６１へ制御が移り、発信した信号でないと判断された場合、ステップＳ５２へ制御が移る。
【００７６】
ステップＳ５２では、ステップＳ５１の制御が所定回数ｍ以下か否かが判断され、所定回数ｍ以下の場合、ステップＳ４９へ制御が戻り、所定回数ｍより大きい場合、ステップＳ４８へ制御が移る。すなわち、信号の発信の遅れなどを考え、所定回数ｍの回数だけ繰り返す。
【００７７】
ステップＳ６１では、伝送された信号がセット側で受信される。ステップＳ６２では、充電量が表示され、ステップＳ６３では、ＡＣアダプタ２のパワーが表示され、ステップＳ６４では、電圧電流が表示される。
【００７８】
この一実施形態では、ステップＳ６１の制御の後、ステップＳ６２へ制御が移るが、ステップＳ７０に制御が移るようにしても良いし、ステップＳ６２、Ｓ６３、Ｓ６４と平行にステップＳ７０の制御を行うようにしても良い。この場合、ステップＳ７０では、使用している間の時間がタイマ表示される。
【００７９】
ステップＳ６５では、セット３のスイッチ回路がオン状態とされる。ステップＳ６６では、スイッチ回路のオン状態を検出するために、電流検出回路によって電流が検出される。ステップＳ６７では、検出された電流が基準以上か否かが判断され、電流が基準以上と判断された場合、ステップＳ６８へ制御が移り、基準より小さいと判断された場合、ステップＳ６９へ制御が移る。すなわち、電流検出回路によって検出された電流を判断することで、スイッチ回路のオン／オフ状態が判断される。
【００８０】
ステップＳ６８では、ＡＣアダプタ２が大電力回路で動作する大電力モードとされ、ステップＳ４１へ制御が戻る。ステップＳ６９では、ステップＳ６７の制御が所定回数ｋ以下か否かが判断され、所定回数ｋ以下の場合、ステップＳ４９へ制御が戻り、所定回数ｋより大きい場合、ステップＳ４８へ制御が移る。すなわち、スイッチ回路の接続が不完全な場合を考え、所定回数ｋの回数だけ繰り返す。そして、ステップＳ４８へ制御が移る。
【００８１】
ここで、図２２、図２３および図２４を用いて、ＡＣアダプタ２から発信するスイッチＯＦＦ信号を説明する。ＡＣアダプタ２では、スイッチ回路１９４をオフ状態とするために、スイッチＯＦＦ信号回路１９２からスイッチＯＦＦ信号を定電流定電圧回路１９１へ供給する。この定電流定電圧回路１９１の電圧電流特性の一例を図１９に示す。一例として、この図１９中に示す、特性ａは５Ｖ／１Ａとし、特性ｂは３Ｖ／１Ａとし、特性ｃは３Ｖ／１．５Ａとする。そして、定電流定電圧回路１９１では、例えば図２０Ａに示すような所定の信号がスイッチＯＦＦ信号として出力される。このスイッチＯＦＦ信号が検出回路１９３で検出された場合、スイッチ回路１９４は、オフ状態とされる。そして、スイッチ回路１９４がオフ状態になると、定電流定電圧回路１９１から図２０Ｂに示すような所定の信号が出力される。
【００８２】
上述した第３の例の概略的な構成からなる図６の動作を図２５および図２６のフローチャートを用いて説明する。まず、図２５に示すＡＣアダプタ２の動作のフローチャートは、例えば最初のＡＣ入力時に動作するものである。ステップＳ７１では、セット３のスイッチ回路をオフ状態にする信号が発信される。ステップＳ７２では、電流検出回路において、電流が検出される。ステップＳ７３では、検出された電流が基準以下か否かが判断され、電流が基準以下と判断された場合、スイッチ回路がオフ状態と判断されるのでステップＳ７４へ制御が移り、基準より大きいと判断された場合、スイッチ回路がオフ状態ではないと判断されるのでステップＳ７２へ制御が戻る。ステップＳ７４では、ＡＣアダプタ２から信号が発信される。この信号の発信によって、ＡＣアダプタ２に優先権があることをセット３に知らせる。ステップＳ７５では、信号の発信が停止される。ステップＳ７６では、ＡＣアダプタ２がセット３から伝送される信号を受信できるようになされる。
【００８３】
そして、図２６に示すセット３の動作のフローチャートは、例えば二次電池の温度が上がったとき、または直流電源が差し込まれたときに動作するものである。ステップＳ８１では、スイッチ回路がオフ状態とされる。ステップＳ８２では、ＡＣアダプタ２が小電力で動作する小電力モードに切り替わったことがわかる。ステップＳ８３では、セット３から信号が発信される。この信号の発信によって、セット３に優先権があることをＡＣアダプタ２に知らせる。ステップＳ８４では、信号の発信が停止される。ステップＳ８５では、セット３がＡＣアダプタ２から伝送される信号を受信できるようになされる。
【００８４】
ＡＣアダプタ２の入力端子Ｔ１およびＴ２の前段に、スイッチングレギュレータを用いた第６の実施形態を図２７に示す。入力端子２３１および２３２から商用電源が供給され、ダイオードブリッジ２３３を介してトランス２３９の一次側の一端と接続される。ダイオードブリッジ２３３の出力の一方は、接地との間にコンデンサ２３４が挿入され、トランス２３９と接続され、ダイオードブリッジ２３３の他方は、接地される。ダイオード２３８のカソードは、トランス２３９の一次側の他端と接続され、そのアドノードは、接地される。また、ダイオード２３８は、ＦＥＴ２３７のソース、ドレイン間に挿入される。ＦＥＴ２３７のゲートには、ＰＷＭ（パルス幅変調）回路２６が接続され、このＰＷＭ回路２６によって、ＦＥＴ２３７がオン／オフされ、スイッチングが制御される。ＰＷＭ回路２３６には、ＯＳＣ（オシレータ）回路２３５およびフォトカプラ２５３から信号が供給される。
【００８５】
ダイオード２４０のアノードは、トランジスタ２３９の二次側のａ端子と接続され、そのカソードは、小電力回路２４４と接続される。ダイオード２４２のアノードは、トランジスタ２３９の二次側のｂ端子と接続され、大電力が出力され、そのカソードは、出力端子２５４と接続される。また、出力端子２５５は接地される。トランス２３９の二次側のｃ端子には、ダイオード２４０のカソードとの間にコンデンサ２４１が挿入され、ダイオード２４２との間にコンデンサ２４３が挿入され、接地との間に電流検出回路２５０が挿入される。電流検出回路２５０で検出された電流は、積算回路２４９へ供給される。
【００８６】
小電力回路２４４は、定電圧定電流回路によって構成され、小電力が出力される。電流検出回路２４５では、小電力回路２４４から出力される電流が検出される。検出された電流は、小電力回路２４４、積算回路２４８およびスイッチ制御回路２５１へ供給される。電圧検出回路２４６では、出力端子２５４から出力される電圧が検出される。検出された電圧は、優先権検出回路２４７、積算回路２４８および２４９へ供給される。優先検出回路２４７では、供給された電圧にセット３から伝送された信号が含まれているかが検出される。その検出結果は、小電力回路２４４へ供給される。
【００８７】
積算回路２４８では、電流検出回路２４５からの電流と、電圧検出回路２４６からの電圧とが積算される。その積算結果は、スイッチ回路２５２へ供給される。積算回路２４９では、電流検出回路２５０からの電流と、電圧検出回路２４６からの電圧とが積算される。その積算結果は、スイッチ回路２５２へ供給される。スイッチ回路２５２は、スイッチ制御回路２５１によって制御され、積算回路２４８からの積算結果および積算回路２４９からの積算結果の何れか一方が選択される。選択された積算結果は、フォトカプラ２５３へ供給される。フォトカプラ２５３は、供給された積算結果に応じてＰＷＭ回路２３６の動作を制御する。
【００８８】
図２７に示すスイッチングレギュレータを用いたＡＣアダプタ２の動作を図２８のフローチャートを用いて説明する。ステップＳ９１では、ＡＣアダプタ２が大電力と小電力で動作する。ステップＳ９２では、積算回路２４９がスイッチ回路２５２で選択され、選択された積算回路２４９からの積算結果によってフォトカプラ２５３が駆動される。ステップＳ９３では、電流検出回路２５０で電流が検出される。
【００８９】
ステップＳ９４では、検出された電流が基準以下か否かが判断され、電流が基準以下と判断された場合、負荷が接続されていないと判断するのでステップＳ９５へ制御が移り、電流が基準より大きいと判断された場合、負荷が接続されていると判断するのでステップＳ９３へ制御が戻る。ステップＳ９５では、スイッチ回路２５２が制御される。
【００９０】
ステップＳ９６では、積算回路２４８がスイッチ回路２５２で選択され、選択された積算回路２４８からの積算結果によってフォトカプラ２５３が駆動される。ステップＳ９７では、ＡＣアダプタ２が小電力で動作するように、ＰＷＭ回路２３６がフォトカプラ２５３によって制御される。ステップＳ９８では、信号が受信される。ステップＳ９９では、信号の有無が判断され、信号があると判断された場合、ステップＳ９１へ制御が戻り、信号がないと判断された場合、ステップＳ９８へ制御が戻る。
【００９１】
小電力の出力にスイッチ回路と抵抗を並列に挿入することによって、高インピーダンス電源を生成する第７の実施形態を図２９に示す。入力端子Ｔ１は、小電力回路２６１および大電力回路２６２と接続される。小電力回路２６１では、小電力の電源が出力される。電流検出回路２６３では、小電力回路２６１からの電流が検出れる。検出された電流は、スイッチ回路２６５およびストップ回路２６６へ供給される。スイッチ回路２６５は、供給された電流が基準以下の場合、オフ状態とされ、電流が基準より大きい場合、オン状態とされる。スイッチ回路２６５と並列に抵抗２６４が設けられる。ストップ回路２６６では、供給された電流が基準以下の場合、大電力回路２６２を停止させるように制御信号が出力され、電流が基準より大きい場合、大電力回路２６２を動作させるように制御信号が出力される。
【００９２】
セット３では、スイッチ回路２７０の一方と出力端子Ｔ３が接続され、スイッチ回路２７０の他方と接地との間に、抵抗２６７およびコンデンサ２６８が直列に挿入される。抵抗２６７とコンデンサ２６８との接続点と上述したような、例えば信号発生回路および信号受信回路からなる回路２６９が接続される。
【００９３】
この一実施形態では、抵抗２６４とスイッチ回路２６５とが、小電力回路２６１の出力側に設けられているが、大電力回路２６２の出力側に設けるようにしても良い。この場合、スイッチ回路が大型となる。
【００９４】
図２９に示すＡＣアダプタの動作を図３０に示すフローチャートを用いて説明する。ステップＳ１０１では、ＡＣアダプタが大電力および小電力で動作する。ステップＳ１０２では、電流検出回路２６３によって電流が検出される。ステップＳ１０３では、検出された電流が基準以下か否かが検出され、電流が基準以下と判断された場合、スイッチ回路２７０がオフ状態または無負荷に近い状態であると判断するのでステップＳ１０４へ制御が移り、電流が基準より大きいと判断された場合、スイッチ回路２７０がオン状態であると判断するのでステップＳ１０２へ制御が戻る。
【００９５】
ステップＳ１０４では、スイッチ回路２６５がオン状態からオフ状態とされる。ステップＳ１０５では、大電力回路２６２の動作が停止するように、ストップ回路２６６によって制御される。ステップＳ１０６では、信号受信または信号発信の制御が行われる。ステップＳ１０７では、大電力回路２６２が動作するように、ストップ回路２６６によって制御される。ステップＳ１０８では、スイッチ回路１６５がオフ状態からオン状態とされる。そして、ステップＳ１０１へ制御が戻る。
【００９６】
信号を受信／発信するときに高インピーダンスの電源を用いるようにした第８の実施形態を図３１に示す。小電力回路２７１および大電力回路２７２が動作する。小電力回路２７１からの電流を検出する電流検出回路２７３は、検出された電流をストップ回路２７４へ供給する。ストップ回路２７４では、検出された電流に基づいて小電力回路２７１および大電力回路２７２の動作を停止する制御がなされる。定電圧回路２７５では、常に安定した電圧電流が抵抗２７６を介して出力される。信号受信／発信制御回路２７７は、ＡＣアダプタ２からセット３へ信号を発信し、またセット３からの信号を受信する。
【００９７】
スイッチ回路２８１の一方は、出力端子Ｔ３と接続され、その他方と、接地との間に抵抗２７８およびコンデンサ２７９が直列に挿入される。抵抗２７８とコンデンサ２７９との接続点は、信号受信／発信制御回路２８０と接続される。信号受信／発信制御回路２８０は、セット３からＡＣアダプタ２へ信号を発信すると共に、ＡＣアダプタ２からの信号を受信する。ＡＣアダプタ２からの信号を受信すると、信号受信／発信制御回路２８０は、その信号に基づいてスイッチ回路２８１のオン／オフ動作を制御する。
【００９８】
図３１に示すＡＣアダプタの動作を図３２に示すフローチャートを用いて説明する。ステップＳ１１１では、小電力回路２７１および大電力回路２７２の動作がなされる。ステップＳ１１２では、電流検出回路２７３によって電流が検出される。ステップＳ１１３では、検出された電流が基準以下か否かが判断され、電流が基準以下と判断された場合、スイッチ回路２８１がオフ状態である、または無負荷に近い状態であると判断するのでステップＳ１４４へ制御が移り、電流が基準より大きいと判断された場合、スイッチ回路２８１がオン状態であると判断するのでステップＳ１１２へ制御が戻る。
【００９９】
ステップＳ１１４では、小電力回路２７１および大電力回路２７２の動作が停止され、高インピーダンス電源の動作がなされる。ステップＳ１１５では、信号受信／発信制御回路２７７がＡＣアダプタ２からセット３へ信号を発信すると共に、セット３からの信号を受信する。ステップＳ１１６では、小電力回路２７１および大電力回路２７２の動作がなされ、高インピーダンス電源の動作が停止される。そして、ステップＳ１１１へ制御が戻る。このように、高インピーダンス電源では、図３３に示すように、信号を伝送することができる。
【０１００】
また、２端子で接続しても通信することができるので専用のＡＣアダプタか別のＡＣアダプタかを判別することができる。
【０１０１】
このため、二次電池の種類およびＡＣアダプタの種類に合わせて使用しても通信することによって、対応するＡＣアダプタを選定することができるため安全である。
【０１０２】
ＡＣアダプタおよびセットの両者とも通信を行うことができることにより、二次電池の容量および温度検出のための検出信号などはＡＣアダプタ側またはセット側のどちらか一方に用意されていれば良い。
【０１０３】
【発明の効果】
この発明に依れば、フィルタを使用しなくても信号を伝送することができ、コストを抑えることができ、ノイズに強い。
【０１０４】
また、この発明に依れば、２端子で信号を伝送することができ、３端子でＡＣアダプタとセットとを接続した場合より接続不良になる割合を少なくすることができる。
【０１０５】
さらに、この発明に依れば、ＡＣアダプタ側およびセット側でも電流を検出しているので、端子をショートしても過電流が流れることはないので、安全に使用することができる。
【図面の簡単な説明】
【図１】この発明が適用された実施形態の概略的構成を示す。
【図２】この発明の基本的な通信方法を説明するための概略的なブロック図である。
【図３】この発明が適用された第１の例の概略的なブロック図である。
【図４】この発明に適用される一例の電圧電流特性である。
【図５】この発明が適用された第２の例の概略的なブロック図である。
【図６】この発明が適用された第３の例の概略的なブロック図である。
【図７】この発明が適用された第４の例の概略的なブロック図である。
【図８】この発明が適用された第５の例の概略的なブロック図である。
【図９】この発明に適用される通信の一例の略線図である。
【図１０】この発明が適用された第１の実施形態を示すブロック図である。
【図１１】この発明が適用された第２の実施形態を示すブロック図である。
【図１２】この発明が適用された第３の実施形態を示すブロック図である。
【図１３】この発明が適用された第４の実施形態を示すブロック図である。
【図１４】この発明が適用されるＡＣアダプタの処理の一実施形態を示すフローチャートである。
【図１５】この発明が適用されるセット側の処理の一実施形態を示すフローチャートである。
【図１６】この発明が適用される信号発信回路の説明に用いる回路図である。
【図１７】この発明を説明するための一例の略線図である。
【図１８】この発明が適用された第５の実施形態を示すブロック図である。
【図１９】この発明が適用されるＡＣアダプタの処理の一実施形態を示すフローチャートである。
【図２０】この発明が適用されるセット側の処理の一実施形態を示すフローチャートである。
【図２１】この発明が適用されるセット側の処理の一実施形態を示すフローチャートである。
【図２２】この発明に適用されるスイッチＯＦＦ信号を説明するためのブロック図である。
【図２３】この発明に適用されるスイッチＯＦＦ信号を説明するための略線図である。
【図２４】この発明に適用されるスイッチＯＦＦ信号を説明するための略線図である。
【図２５】この発明が適用されるＡＣアダプタの処理の一実施形態を示すフローチャートである。
【図２６】この発明が適用されるセット側の処理の一実施形態を示すフローチャートである。
【図２７】この発明が適用された第６の実施形態を示すブロック図である。
【図２８】この発明が適用されるＡＣアダプタの処理の一実施形態を示すフローチャートである。
【図２９】この発明が適用された第７の実施形態を示すブロック図である。
【図３０】この発明が適用されるＡＣアダプタの処理の一実施形態を示すフローチャートである。
【図３１】この発明が適用された第８の実施形態を示すブロック図である。
【図３２】この発明が適用されるＡＣアダプタの処理の一実施形態を示すフローチャートである。
【図３３】この発明を説明するための略線図である。
【図３４】従来のＡＣアダプタとセットのシステムを示した略線図である。
【符号の説明】
５１・・・電流検出回路、５２・・・小電力回路、５３・・・大電力回路、５４、６４、６６・・・スイッチ回路、５５、６１・・・受信回路、５６、６２・・・制御回路、６３・・・ストップ回路、６５・・・信号発信回路、６７・・・負荷回路
【図１】
0003882319.tif 000002
【図２】
0003882319.tif 000003
【図３】
0003882319.tif 000004
【図４】
0003882319.tif 000005
【図５】
0003882319.tif 000006
【図６】
0003882319.tif 000007
【図７】
0003882319.tif 000008
【図８】
0003882319.tif 000009
【図９】
0003882319.tif 000010
【図１０】
0003882319.tif 000011
【図１１】
0003882319.tif 000012
【図１２】
0003882319.tif 000013
【図１３】
0003882319.tif 000014
【図１４】
0003882319.tif 000015
【図１５】
0003882319.tif 000016
【図１６】
0003882319.tif 000017
【図１７】
0003882319.tif 000018
【図１８】
0003882319.tif 000019
【図１９】
0003882319.tif 000020
【図２０】
0003882319.tif 000021
【図２１】
0003882319.tif 000022
【図２２】
0003882319.tif 000023
【図２３】
0003882319.tif 000024
【図２４】
0003882319.tif 000025
【図２５】
0003882319.tif 000026
【図２６】
0003882319.tif 000027
【図２７】
0003882319.tif 000028
【図２８】
0003882319.tif 000029
【図２９】
0003882319.tif 000030
【図３０】
0003882319.tif 000031
【図３１】
0003882319.tif 000032
【図３２】
0003882319.tif 000033
【図３３】
0003882319.tif 000034
【図３４】
0003882319.tif 000035